(57)【要約】【課題】遊技盤面上における遊技状態の変化等の状況変化を表現、報知したり、遊技内容の進行に応じて可動盤面部品の状態変化を視覚的に表現するために、駆動力伝達部品が光源からの光を遮光することがないように工夫して光源光を有効に利用する。【解決手段】遊技盤面、或いは遊技盤に形成した開口内に配置されて所定の軌跡に沿って動作する可動盤面部品２０と、該可動盤面部品の駆動源としてのモータ３１と、該モータの回転駆動力を可動盤面部品に伝達すると共に該可動盤面部品と共に動作する非透光性且つ低摩擦抵抗材料から成る伝達部材３３、３４と、伝達部材の背面側に配置されて前方へ照光する光源と、を備え、伝達部材が光源からの出射光の光路上にある時に、該出射光が照射される伝達部材の部位に透光部３５を形成した。【選択図】図２
2009195336.tif 000002
【特許請求の範囲】
【請求項１】
遊技盤面、或いは遊技盤に形成した開口内に配置されて所定の軌跡に沿って動作する可動盤面部品と、該可動盤面部品の駆動源としてのモータと、該モータの回転駆動力を前記可動盤面部品に伝達すると共に該可動盤面部品と共に動作する非透光性且つ低摩擦抵抗材料から成る伝達部材と、前記伝達部材の背面側に配置されて前方へ照光する光源と、を備え、
前記伝達部材が前記光源からの出射光の光路上にある時に、該出射光が照射される伝達部材の部位に透光部を形成したことを特徴とする可動盤面部品ユニット。
【請求項２】
前記透光部は、穴、切欠きであることを特徴とする請求項１に記載の可動盤面部品ユニット。
【請求項３】
前記穴、又は切欠き内に透光材料、或いは導光材料を配置したことを特徴とする請求項２に記載の可動盤面部品ユニット。
【請求項４】
前記可動盤面部品が前記遊技盤面の中央寄りに突出した位置にあるときに、前記光源からの出射光が前記伝達部材の透光部に入射するように構成したことを特徴とする請求項１乃至３の何れか一項に記載の可動盤面部品ユニット。
【請求項５】
請求項１乃至４の何れか一項に記載の可動盤面部品ユニットを備えたことを特徴とする遊技盤。
【請求項６】
請求項５に記載の遊技盤を備えたことを特徴とする遊技機。
【発明の詳細な説明】
【技術分野】
【０００１】
本発明は、遊技盤面に配置した人形等のギミック、或いはギミックの駆動部品が背面側に配置された光源からの出射光を遮光して電飾効果を低下させる不具合を解消することができる可動盤面部品ユニット、遊技盤、及び遊技機に関するものである。
【背景技術】
【０００２】
パチンコ機、アレンジボール等の遊技機においては、従来から、単なる照明効果のみならず、遊技盤上における遊技状態の変化等の状況変化を視覚的に表現、報知したり、遊技進行上での電飾効果を図る等の目的から、盤面内、盤面部品、その他任意の部位にＬＥＤランプやフィラメント式ランプ等の光源を配置している。
また、人物、動物、アニメのキャラクター等を象った立体的な人形等の可動盤面部品をモータ等の駆動源からの駆動力によって動作させる際に、背面側に配置した光源からの光とのコラボレーションによって遊技進行上特徴的な演出効果を発揮させるようにした電飾装置も知られている。このような電飾装置にあっては、光源の前方に配置された可動盤面部品が光源からの光を遮光して電飾効果を低下させることがないように配慮している。
特許文献１には、可変翼片を有する入賞装置において、可変翼片に光透過面を設け、ＬＥＤからの光を遊技の進行状況に応じて光透過面から出射させるようにしたパチンコ遊技機の入賞装置が開示されている。
【０００３】
ところで、モータからの駆動力を可動盤面部品に伝達する伝達部品としてアーム状の部材を使用する場合、この伝達部品としてポリアセタール（ＰＯＭ）等の低摩擦樹脂材料が使用される。ポリアセタールは、摺動抵抗が低いために、近接する部品との間の摺動による摩耗、破損がおきにくいばかりでなく、機械的強度、耐疲労性、耐電防止性、機械加工性等において優れた特性を有しているため、摺動部品の材料として多用されるが、その一方で、樹脂材料にオイルを含浸しているため透明度が低く、白色、黒色等の有色材料（遮光材料）としてしか市場に提供されていない。
このため、ポリアセタール等の非透明の低摩擦樹脂材料を可動盤面部品への駆動力伝達部品に適用し、且つこの伝達部品を可動盤面部品の動作中に遊技者から視認可能な位置に露出する場合には、背面側に配置された光源からの光が伝達部品によって遮光されて電飾効果が著しく低下するという問題をもたらす。
このように、従来、可動盤面部品と光源との協働によって演出される遊技内容に多様性を持たせることに演出上の重点を置こうとしても、非透明材料から成る駆動力伝達部品が光源からの光を遮光して演出上の効果を減殺させるという問題があった。
【特許文献１】特開２００５−２７０２７４公報
【発明の開示】
【発明が解決しようとする課題】
【０００４】
以上のように従来、可動盤面部品と電飾装置による発光との協働によって演出される遊技内容に更なる多様性が求められているにも関わらず、遊技盤の前面側から視認される駆動力伝達部品が光源からの光を遮光して演出上の効果を減殺させるという問題があった。
本発明は上記に鑑みてなされたものであり、遊技盤面上における遊技状態の変化等の状況変化を表現、報知したり、遊技内容の進行に応じて可動盤面部品の状態変化を視覚的に表現するために、駆動力伝達部品が光源からの光を遮光することがないように工夫して光源光を有効に利用するようにした可動盤面部品ユニット、遊技盤、及び遊技機を提供することを目的としている。
【課題を解決するための手段】
【０００５】
上記目的を達成するため、請求項１の発明に係る可動盤面部品ユニットは、遊技盤面、或いは遊技盤に形成した開口内に配置されて所定の軌跡に沿って動作する可動盤面部品と、該可動盤面部品の駆動源としてのモータと、該モータの回転駆動力を前記可動盤面部品に伝達すると共に該可動盤面部品と共に動作する非透光性且つ低摩擦抵抗材料から成る伝達部材と、前記伝達部材の背面側に配置されて前方へ照光する光源と、を備え、前記伝達部材が前記光源からの出射光の光路上にある時に、該出射光が照射される伝達部材の部位に透光部を形成したことを特徴とする。
摺動抵抗が低く、且つ非透光性の伝達部材を用いた場合には、伝達部材が背面側の光源からの出射光の光路上にある時に遮光されて電飾効果が減殺される。本発明では、出射光が照射される伝達部材の部位に透光部を形成しているため、後方に配置された光源からの光が伝達部材によって遮光されて電飾効果が減殺されるという不具合がなくなる。
【０００６】
請求項２の発明に係る可動盤面部品ユニットは、請求項１において、前記透光部は、穴、切欠きであることを特徴とする。
請求項３の発明に係る可動盤面部品ユニットは、請求項２において、前記穴、又は切欠き内に透光材料、或いは導光材料を配置したことを特徴とする。
透光材料等による集光効果、導光効果により照光量を増やして電飾効果を高めることができる。
請求項４の発明に係る可動盤面部品ユニットは、請求項１乃至３の何れか一項において、前記可動盤面部品が前記遊技盤面の中央寄りに突出した位置にあるときに、前記光源からの出射光が前記伝達部材の透光部に入射するように構成したことを特徴とする。
請求項５の発明に係る遊技盤は、請求項１乃至４の何れか一項に記載の可動盤面部品ユニットを備えたことを特徴とする。
請求項６の発明に係る遊技機は、請求項５に記載の遊技盤を備えたことを特徴とする。
【発明の効果】
【０００７】
本発明によれば、非透光性の伝達部材が光源からの出射光の光路上にある時に、出射光が照射される伝達部材の部位に透光部を形成しているため、後方に配置された光源からの光が伝達部材によって遮光されて電飾効果が減殺されるという不具合がなくなる。
【発明を実施するための最良の形態】
【０００８】
以下、本発明を図面に示した実施の形態により詳細に説明する。
図１は本発明の実施の形態に係るパチンコ遊技機の全体正面図であり、図２（ａ）及び（ｂ）は可動盤面部品ユニットの収納状態における正面図、及び背面図であり、図３（ａ）及び（ｂ）は可動盤面部品ユニットの突出状態における正面図、及び背面図であり、図４は一部を断面で示した要部側面図である。
パチンコ遊技機１は、矩形形状の枠２を有し、この枠２の窓孔に対して裏側から遊技盤３が着脱可能に取り付けられている。
遊技盤３には、遊技領域の外周縁に沿って前方に突出されたガイドレールが設けられている。ガイドレールは発射装置から発射された遊技球を遊技領域の上部に案内したり、アウト球を回収するアウト口１８に案内したりする外レールＲ１及び内レールＲ２により構成される。
【０００９】
遊技盤３の前面側には、図示しないガラス枠が開閉可能に取り付けられている。また遊技盤３の下部には遊技球を貯留する受け皿部４と、受け皿部４内の遊技球を発射する発射レバー５等が設けられている。また、受け皿部４の上部には、例えば遊技演出用のチャンスボタンや十字キーなどの操作部６や、遊技球の購入ボタンや購入取り消しボタンなどが設けられている。
遊技盤３の略中央には、図柄表示装置９が配置されている。図柄表示装置９は、例えば、液晶表示装置等の液晶表示パネルによって構成され、通常動作状態の時は図示しない特別図柄画像が表示される。また、所謂リーチ状態や特別遊技状態の時はそれぞれの遊技状態であることを示す演出画像等が表示される。
【００１０】
図柄表示装置９の下方には、図柄表示装置９の特別図柄を可変表示させるための可変入賞装置１１が設けられている。
また、図柄表示装置９の左側には、遊技盤３の右下部に配置された普通図柄表示装置１０に表示される普通図柄を作動させるためのゲート１２が設けられている。
さらに、可変入賞装置１１の下方には、特別遊技状態の一つである大当り状態のときに開成状態になる開閉扉を有する大入賞口１３が設けられている。
可変入賞装置１１は、図柄表示装置９を可変表示させるための上始動ポケット１４と、左右一対の開閉爪（可動片）を有する電動式チューリップ１７とを備えている。
また遊技盤３には、普通入賞口１６が設けられていると共に、風車１５や多数の遊技釘が突設されている。遊技釘は、遊技球の落下速度を遅くすると共に、落下方向を複雑に変化させて遊技進行上の興趣を高めている。
【００１１】
普通図柄表示装置１０に表示される普通図柄は、１個または複数個の図柄を変動表示可能であり、普通図柄始動口としてのゲート１２が遊技球を検出することを条件に、その図柄が乱数制御等により所定時間可変して停止するようになっている。
普通図柄としては、数字図柄、アルファベット図柄、キャラクター図柄、その他の適宜の遊技図柄が使用される。そして、ゲート１２を遊技球が通過したことを条件に乱数制御により普通図柄が所定態様となった場合に、可変入賞装置１１に設けられた電動式チューリップから成る可動片を所定時間、開成動作するように構成されている。
図柄表示装置９に表示される特別図柄は、停止図柄が予め定められた図柄の組合せ、例えば同一図柄の組合せとなった場合に大当り状態となるように構成されている。また特別図柄は、可変入賞装置１１の上始動ポケット１４、又は電動式チューリップの開成動作により遊技球が誘導される下始動口（図示していない）への遊技球の入賞を検出することを条件に乱数制御等により表示がスクロールする等、所定の変動パターンで所定時間変動（可変）して図柄で停止するようになっている。その際、有効ライン上に２個の停止図柄が同一となった場合に、リーチ状態が発生し、このリーチ状態において、有効ライン上の最後の停止図柄が既に停止している２個の図柄と同一となった場合に大当り状態が発生する。なお、特別図柄としては、数字図柄、アルファベット図柄、キャラクター図柄等が使用可能である。
【００１２】
図柄表示装置９の上方、及び右側方には多数の雪結晶を象った可動盤面部品が配置されているが、右側方に位置する可動盤面部品２０は、上端部を軸支されることによって左右方向へ揺動するアーム部材２１と、アーム部材２１の前面に上下方向に沿って複数配列された星形のギミック２２と、から構成されている。更に、この可動盤面部品２０と、可動盤面部品２０を駆動する駆動機構３０と、可動盤面部品及び駆動機構の背面側に固定配置されたＬＥＤ４１とは、可動盤面部品ユニット２５を構成している。
可動盤面部品２０は、遊技盤面、或いは遊技盤に形成した開口内に配置されて所定の軌跡に沿って動作する。アーム部材２１の上端部に設けた軸部２１ａは遊技盤、或いはその他の支持部材によって軸支されており、アーム部材２１は全体として図１、図２に示した収納位置と、図３に示した突出位置との間を揺動することができる。図４に示すようにアーム部材２１の背面にはＬＥＤ４１を搭載したプリント基板４０が組み付けられており、透明材料から構成されたギミック２２を背面から照光する。なお、この構成例では、ＬＥＤ４１の前方に透明板４５を配置している。
【００１３】
駆動機構３０は、可動盤面部品２０の駆動源としてのモータ３１と、モータ３１の出力ギヤ３２と噛合するギヤ部を有した扇形ギヤ３３と、扇形ギヤ３３の一部から一体的に突出したリンク片３４と、アーム部材２１の下部適所から背面側に突設されてリンク片３４に設けた長穴３４ａ内に遊嵌するピン３５と、を有する。扇形ギヤ３３と、リンク片３４は、ポリアセタール（ＰＯＭ）等の非透光性且つ低摩擦抵抗材料から構成されており、両部材３３、３４は伝達部材を構成している。
モータ３１の出力ギヤ３２が正逆回転することによりこれと噛合する扇形ギヤ３３も軸３３ａを中心として正逆回動し、その過程で扇形ギヤ３３と一体のリンク片３４も図２の状態から図３の状態に動作する。リンク片３４が往復動作する過程で長穴３４ａ内をピン３５が往復動作しながらリンク片からの駆動力がアーム部材２１に伝達されてアーム部材２１を図２の収納状態から図３の突出状態（遊技盤中央寄りに突出した状態）へ移行させる。
【００１４】
本発明においては、伝達部材３３、３４として、摺動抵抗が低いために近接する部品との間の摺動による摩耗、破損がおきにくいばかりでなく、機械的強度、耐疲労性、耐電防止性、機械加工性等において優れた特性を有しているＰＯＭを使用しているため、非透光性となっている。このため、背面側に配置したＬＥＤ等の光源からの光が伝達部材３３、３４によって遮光されてしまい、電飾効果が減殺される虞がある。
このような不具合を解消するために本発明の可動盤面部品ユニットでは、伝達部材３３、３４がＬＥＤ４１からの出射光の光路上にある時に、出射光が照射される伝達部材の部位に透光部３６を形成している。この透光部３６は、穴、或いは切欠きであり、扇形ギヤ３３、リンク片３４の機械的強度を低下させることがない箇所に、適当な開口面積となるように形成する。
なお、図５に示すように、穴、又は切欠き３６内に透光材料、導光材料、集光材料等３７を配置して前方への出射光量を増加させたり、集光性を高めて局所に集中して照光させるようにしてもよい。
なお、伝達部材に限らず可動盤面部品を非透光性材料から構成せざるを得ない場合にも本発明の透光性確保のための構造を採用することができる。
【図面の簡単な説明】
【００１５】
【図１】本発明の実施の形態に係るパチンコ遊技機の全体正面図である。
【図２】（ａ）及び（ｂ）は可動盤面部品ユニットの収納状態における正面図、及び背面図である。
【図３】（ａ）及び（ｂ）は可動盤面部品ユニットの突出状態における正面図、及び背面図である。
【図４】可動盤面部品ユニットの一部を断面で示した要部側面図である。
【図５】他の実施形態に係る可動盤面部品ユニットの一部を断面で示した要部側面図である。
【符号の説明】
【００１６】
１…パチンコ遊技機、２…枠、３…遊技盤、４…皿部、５…発射レバー、６…操作部、１０…普通図柄表示装置、１１…可変入賞装置、１２…ゲート、１３…大入賞口、１４…上始動ポケット、１５…風車、１６…普通入賞口、１７…電動式チューリップ、１８…アウト口、２０…可動盤面部品、２１…アーム部材、２１ａ…軸部、２２…ギミック、２５…可動盤面部品ユニット、３０…駆動機構、３１…モータ、３２…出力ギヤ、３３…扇形ギヤ、３３、３４…伝達部材、３３ａ…軸、３４…リンク片、３４ａ…長穴、３５…ピン、３６…透光部、４０…プリント基板、４１…ＬＥＤ
【図１】
2009195336.tif 000003
【図２】
2009195336.tif 000004
【図３】
2009195336.tif 000005
【図４】
2009195336.tif 000006
【図５】
2009195336.tif 000007